(57)【特許請求の範囲】
【請求項１】
容器の口部の外側に嵌合可能な外筒部、及び、該外筒部の内側に配設されているとともに前記外筒部に連結されて前記口部の内側に連通する内筒部、を有するキャップ本体と、
該キャップ本体に被着される上蓋と、
を備えるキャップにおいて、
前記キャップ本体には、前記内筒部の上部の内側に着脱可能に嵌合されて該内筒部に連通する注出筒部が備えられ、
前記外筒部には、筒状の外周壁部と、該外周壁部の内側に配設されて前記口部に嵌合可能な嵌合筒部と、が備えられ、
前記外周壁部と前記嵌合筒部との間には、前記外筒部の周方向に沿って延在する破断容易な弱化部が介在されており、
前記外周壁部のうち、径方向の一方側の部分が第一連結部を介して前記注出筒部に連結され、径方向の他方側の部分が第二連結部を介して前記嵌合筒部に連結されていることを特徴とするキャップ。
【請求項２】
請求項１記載のキャップにおいて、
前記外周壁部の上端部と前記嵌合筒部の上端部とが前記弱化部を介して連結されていることを特徴とするキャップ。
【請求項３】
請求項１又は２に記載のキャップにおいて、
前記キャップ本体の外周面には、キャップ側面視において該キャップ本体の外周面に沿ってキャップ軸方向に延在する凹溝が形成されており、該凹溝の内側に前記第一連結部が着脱可能に嵌め込まれていることを特徴とするキャップ。
【請求項４】
請求項１から３のいずれかに記載のキャップにおいて、
前記注出筒部の外周面には、径方向外側に突出したフランジ部が設けられ、
該フランジ部の外縁部の少なくとも一部が、前記内筒部の上端部の外周面よりも径方向外側に突出されていることを特徴とするキャップ。
【発明の詳細な説明】
【技術分野】
【０００１】
本発明は、容器口部に装着可能なキャップであって、特に、容器口部から取り外し可能で分別回収に適したキャップに関する。
【背景技術】
【０００２】
この種のキャップとしては、従来、下記特許文献１に示されているような、容器口部に装着されるキャップ本体と、キャップ本体に被着される上蓋と、を備えた構成が知られている。前記キャップ本体には、容器の口部の外側に嵌合可能な外筒部と、外筒部の内側に配置された内筒部と、内筒部の上部に立設された注出筒部と、が備えられている。上記した外筒部は円環状の天壁部の外縁部から垂下され、上記した内筒部は天壁部の内縁部から垂下されている。また、上記した注出筒部の基端部分には、周方向に延在する平面視略Ｃ状の第一薄肉部が形成されている。また、上記した天壁部には、周方向に延在する平面視略Ｃ状の第二薄肉部が形成されている。第一薄肉部と第二薄肉部とは、互いに反転した向きで形成されている。
【０００３】
上記した構成のキャップ（キャップ本体）を容器口部から取り外す際、まず、注出筒部を指で摘んで捲り上げる。これにより、第一薄肉部が破断され、注出筒部と内筒部とが、Ｃ状の第一薄肉部の両端間に形成された第一連結部を残して分離された状態となる。次に、上記した注出筒部の内側に指を通し、内筒部を捲り上げるように注出筒部を引き上げる。これにより、第二薄肉部が破断され、外筒部と内筒部とが、Ｃ状の第二薄肉部の両端間に形成された第二連結部を残して分離された状態となる。次に、上記した注出筒に指等を通したまま注出筒を横に引く。これにより、外筒部は第二連結部の両側端からそれぞれ縦方向に直線的に破断され、第二連結部に連結された外筒部の一部の上部が径方向外側に向けて折り曲げられる。次に、上記した注出筒に指等を通したまま注出筒を引き上げる。これにより、注出筒と内筒部と外筒部とが連結された状態で引き上げられ、外筒部と容器口部との嵌合が外れて外筒部が容器口部から取り外され、容器とキャップとを分別することができる。
【特許文献１】特許第３０６８８２５号公報
【発明の開示】
【発明が解決しようとする課題】
【０００４】
しかしながら、上記した従来のキャップでは、注出筒部を摘んで捲り上げるようにして第一薄肉部を破断しなければならず、容器口部からキャップを取り外すのが煩雑であるという問題がある。特に、容器の内容物が注出筒部に付着している場合には、その内容物により指が滑るため、力が入りにくく、第一薄肉部を破断することができない場合がある。
【０００５】
本発明は、上記した従来の問題が考慮されたものであり、容器口部からキャップを容易に取り外すことができるキャップを提供することを目的としている。
【課題を解決するための手段】
【０００６】
本発明に係るキャップは、容器の口部の外側に嵌合可能な外筒部、及び、該外筒部の内側に配設されているとともに前記外筒部に連結されて前記口部の内側に連通する内筒部、を有するキャップ本体と、該キャップ本体に被着される上蓋と、を備えるキャップにおいて、前記キャップ本体には、前記内筒部の上部の内側に着脱可能に嵌合されて該内筒部に連通する注出筒部が備えられ、前記外筒部には、筒状の外周壁部と、該外周壁部の内側に配設されて前記口部に嵌合可能な嵌合筒部と、が備えられ、前記外周壁部と前記嵌合筒部との間には、前記外筒部の周方向に沿って延在する破断容易な弱化部が介在されており、前記外周壁部のうち、径方向の一方側の部分が第一連結部を介して前記注出筒部に連結され、径方向の他方側の部分が第二連結部を介して前記嵌合筒部に連結されていることを特徴としている。
【０００７】
このような特徴により、容器口部に装着されたキャップを取り外す際、まず、注出筒部を回転させながら注出筒部を内筒部の上部から引き抜く。次に、引き抜かれた注出筒部に指等を通して注出筒部を引き上げる。これにより、弱化部が第一連結部側から第二連結部側に向かって順次破断されていき、外周壁部が嵌合筒部から切り離されて上方に引き上げられる。そして、弱化部が第二連結部のところまで破断されると、引き上げられる外周壁部によって、嵌合筒部のうちの径方向の他方側の部分（第二連結部を介して外周壁部に連結された部分）が第二連結部を介して引っ張られて容器口部から外される。このように嵌合筒部の一部分の嵌合が外れると、残りの部分も連なって容易に外れるので、そのまま注出筒部を引き上げることにより、嵌合筒部が容器口部から外れ、キャップ本体が容器口部から取り外される。
【０００８】
また、本発明に係るキャップは、前記外周壁部の上端部と前記嵌合筒部の上端部とが前記弱化部を介して連結されていることが好ましい。
【０００９】
これにより、注出筒部を引き上げて弱化部を破断する際、引き上げる力が弱化部に伝播されやすくなり、弱化部が容易に破断される。
【００１０】
また、本発明に係るキャップは、前記キャップ本体の外周面に、キャップ側面視において該キャップ本体の外周面に沿ってキャップ軸方向に延在する凹溝が形成されており、該凹溝の内側に前記第一連結部が着脱可能に嵌め込まれていることが好ましい。
【００１１】
これにより、キャップ本体の外周面の凹凸が少なくなり、キャップ本体の外観が簡素化される。
【００１２】
また、本発明に係るキャップは、前記注出筒部の外周面に、径方向外側に突出したフランジ部が設けられ、該フランジ部の外縁部の少なくとも一部が、前記内筒部の上端部の外周面よりも径方向外側に突出されていることが好ましい。
【００１３】
これにより、注出筒部を内筒部から引き抜く際、内筒部の外周面よりも径方向外側に突出したフランジ部の外縁部に指等を引っ掛けて注出筒部が引き上げられる。
【発明の効果】
【００１４】
本発明に係るキャップによれば、注出筒部を内筒部から引き抜き、その後、注出筒部を引き上げるだけなので、容器口部からキャップを容易に取り外すことができる。
【発明を実施するための最良の形態】
【００１５】
以下、本発明に係るキャップの実施の形態について、図面に基いて説明する。
【００１６】
図１は本実施の形態におけるキャップ１の断面図であり、図２は後述するキャップ本体３の斜視図であり、図３は後述するキャップ本体３の側面図であり、図４、図５はキャップ本体３を後述する容器口部２０から取り外す際のキャップ本体３の断面図であり、図６はキャップ本体３を容器口部２０から取り外す際のキャップ本体３の斜視図である。
【００１７】
なお、図１に示す鎖線Ｌは、キャップ１の中心軸線を示しており、以下、単にキャップ軸Ｌと記す。また、以下に説明する実施の形態では、キャップ１からみて容器２側（図１における下側）を「下方」とし、その反対側（図１における上側）を「上方」とする。また、後述する第一第一連結部９側（図１における右側）を後方側とし、その反対側（図１における左側）を前方側とする。なお、前記した「後方側」が本発明における「径方向の一方側」に相当し、前記した「前方側」が本発明における「径方向の他方側」に相当する。
【００１８】
図１に示すように、キャップ１は、容器２の口部２０に装着可能であるとともに、容器口部２０から取り外し可能で分別回収に適したキャップである。キャップ１は、容器口部２０に装着されるキャップ本体３と、キャップ本体３に被着される上蓋４と、を備えている。なお、容器２は、ガラス瓶や合成樹脂製の容器である。容器口部２０は、略円筒形状の筒部であり、容器口部２０の上端部には、径方向外側に膨出した係合部２１が形成されている。
【００１９】
図１から図３に示すように、キャップ本体３は、例えば射出成形等より形成された樹脂製部品である。キャップ本体３の概略構成としては、容器口部２０の外側に嵌合可能な外筒部５と、外筒部５の内側に配設された内筒部６と、内筒部６の上部の内側に着脱可能に嵌合された注出筒部７と、内筒部６の内側を閉塞する隔壁部８と、注出筒部７と後述する外筒部５の外周壁部５２とを連結する第一連結部９と、を備えている。上記した外筒部５、内筒部６、注出筒部７、隔壁部８及び第一連結部９は一体に形成されており、外筒部５、内筒部６及び注出筒部７は、キャップ軸Ｌを共通軸にして同軸上にそれぞれ配設されている。
【００２０】
外筒部５は、略二重筒構造の筒部であり、その概略構成は、略円環状の天壁部５０と、天壁部５０の外縁部から垂下されて容器口部２０の外側に嵌合可能な嵌合筒部５１と、嵌合筒部５１の外周に配設された外周壁部５２と、外周壁部５２の前方側部分と嵌合筒部５１の前方側部分とを連結する第二連結部５４と、外周壁部５２と嵌合筒部５１との間に介在されて外筒部５の周方向に沿って延在する弱化部５５と、を備えている。
【００２１】
天壁部５０は、容器口部２０の上端に当接する壁部であり、内筒部６の軸方向中間部の外周面から径方向外側に向けて突設されている。
嵌合筒部５１の下端には、径方向内側に膨出した係合部５３が全周に亘って形成されており、この係合部５３が容器口部２０の係合部２１の下方に係止されることで外筒部５（嵌合筒部５１）が容器口部２０にアンダーカット嵌合されている。
外周壁部５２は、嵌合筒部５１の外周面との間に隙間をあけて配設された略円筒形状の筒部である。外周壁部５２の下端は、嵌合筒部５１の下端と略同じ位置に形成されており、外周壁部５１の上端は、嵌合筒部５１の上端よりも下方の位置に形成されている。なお、嵌合筒部５１と外周壁部５２とは、キャップ軸Ｌを共通軸にして同軸上に配設されている。
【００２２】
第二連結部５４は、嵌合筒部５１と外周壁部５２との間を埋めた厚肉部であり、外筒部５の前方側部分に配設されている。この第二連結部５４は、外筒部５の前方側部分に配設されている。また、第二連結部５４は、嵌合筒部５１及び外周壁部５２の上端から嵌合筒部５１及び外周壁部５２の下端までの範囲に亘って形成されており、第二連結部５４の上端面は、径方向外側に向かって下向きに傾斜されている。
【００２３】
弱化部５５は、ねじれや曲げ等により容易に破断する易破断構造である。この弱化部５５は、外周壁部５２の上端部と嵌合筒部５１の上端部との間に介在されており、弱化部５５は、径方向内側から外側に向かうに従い下向きに傾斜されている。また、弱化部５５は、前後方向に直交する左右方向の両側にそれぞれ形成されており、キャップ軸Ｌを挟んで左右対称に形成されている。具体的に説明すると、弱化部５５は、嵌合筒部５１の上端と外周壁部５２の上端との間に形成されて嵌合筒部５１と外周壁部５２との間の隙間を覆う薄膜部５５Ａと、嵌合筒部５１の上端と外周壁部５２の上端との間に架設された連結片５５Ｂと、を備えている。薄膜部５５Ａは、外筒部５の周方向に沿って円弧状に延設された帯状の薄膜部であり、薄膜部５５Ａの周方向前方側の端部は、第二連結部５４の側端に連結されており、薄膜部５５Ａの周方向後方側の端部と第一連結部９の側端との間には、嵌合筒部５１と外周壁部５２との間の隙間空間に連通する開口５６が形成されている。連結片５５Ｂは、細棒状のブリッジであり、上記した開口５６の内側に配設されている。
【００２４】
内筒部６は、容器口部２０の内側に連通する二重筒構造の筒部であり、外筒部５の内側から上方に向かって突出されている。詳しく説明すると、内筒部６は、略円筒形状の係合筒部６０と、係合筒部６０の内側に配設された略円筒形状の内周壁６１と、を備えている。
【００２５】
係合筒部６０の上部は、外筒部５の天壁部５０の上方に突出されており、係合筒部６０の下部は、容器口部２０の内側に嵌合している。係合筒部６０の上部の外周面のうち前方側の部分には、係合筒部６０の上端から下方に向かって延在する凹溝６２が形成されている。また、この前方側の凹溝６２及び後述する後方側の凹溝３０を除いた係合筒部６０の上部の外周面には、上蓋４を螺着するための雄ネジ６４が形成されている。
【００２６】
内周壁６１は、図１に示すように、係合筒部６０との間に隙間をあけて配設されている。内周壁６１の上端は、係合筒部６０の上端よりも下方に位置しており、係合筒部６０の上部の軸方向中間部に全周に亘って連結されている。すなわち、内筒部６の内周面の上端部には、径方向外側に拡径された段差状の嵌合部６５が形成されている。この嵌合部６５の内周面は、内筒部６（係合筒部６０）の上端から下方に向かうに従い漸次縮径されたテーパー形状に形成されており、嵌合部６５（内筒部６）の内周面の上端部には径方向外側に窪んだ溝状の係合部６６が全周に亘って形成されている。また、内周壁６１の下部の内周面には、隔壁部８の下面から下方に向かって延在する凸リブ６７が設けられている。この凸リブ６７は、周方向に間隔をあけて複数設けられている。
【００２７】
また、上記した内筒部６は、外筒部５の内側に配置されており、内筒部６の軸方向中間部と外筒部５の天壁部５０の内縁部とが連結されている。すなわち、内筒部６の軸方向中間部の外周面に、外筒部５の天壁部５０が径方向外側に向けて突設された構成になっている。
【００２８】
注出筒部７は、内筒部６（内周壁６１）の内側に連通する略円筒形状の筒部である。注出筒部７は、下方に向かうに従い漸次縮径されたテーパー形状に形成されており、注出筒部７の上端部は、径方向外側に向けて曲線的に拡径されている。また、注出筒部７の軸方向中間部の外周面には、径方向外側に突出したフランジ部７０が全周に亘って形成されている。フランジ部７０の外周面は、内筒部６の係合筒部６０の外周面と略面一に形成されており、フランジ部７０の外周面のうち、前方側の凹溝６２に対応する部分が凹溝６２の底面よりも径方向外側に形成されている。つまり、フランジ部７０の外縁部のうち、前方側の凹溝６２に対応する部分（指掛け部７０ａ）が、内筒部６の上端部の外周面（凹溝６２の底面）よりも径方向外側に突出されている。また、注出筒部７の下部（フランジ部７０よりも下方の部分）の外周面には、径方向外側に膨出した係合部７２が全周に亘って形成されており、この係合部７２が内筒部６の溝状の係合部６６の内側に嵌合されることで注出筒部７が内筒部６にアンダーカット嵌合されている。
【００２９】
また、キャップ本体３の外周面の後方側部分には、図３に示すキャップ側面視においてキャップ軸Ｌ方向に延在する断面視凹状の凹溝３０が形成されている。この凹溝３０は、内筒部６の上端からキャップ本体３の外周面に沿って外周壁部５２の上端まで延在されている。具体的に説明すると、凹溝３０は、上側から順に、内筒部６の係合筒部６０の外周面に形成された縦溝部３１と、外筒部５の天壁部５０の上面に形成された横溝部３２と、外筒部５の嵌合筒部５１の上部外周面のテーパー面に形成された傾斜溝部３３と、が連設されてなる。上記した縦溝部３１の底面には、キャップ軸Ｌ方向に延在する横断面視略Ｔ字形状の凸条部３５が突設されており、この凸条部３５は、内筒部６の周方向に複数（図２では２本）平行に並設されている。また、縦溝部３１の下端部は、下方に向かうに従い内筒部６の径方向外側へ向けて傾斜されている。
【００３０】
第一連結部９は、図３に示すキャップ側面視においてキャップ軸Ｌ方向に延在する帯状の板部である。この第一連結部９は、内筒部６の上端からキャップ本体３の外周面に沿って外周壁部５２の上端まで延在されているとともに、上記した後方側の凹溝３０の内側に着脱可能に嵌め込まれている。すなわち、キャップ本体３の後方側部分が二重壁構造になっている。
【００３１】
第一連結部９について詳しく説明すると、第一連結部９は、上側から順に、キャップ軸Ｌ方向に沿って延在した縦壁部９１と、キャップ軸Ｌに対する垂直面に沿って延在した横壁部９２と、下方に向かうに従い外筒部５の径方向外側へ向けて傾斜した傾斜壁部９３と、が連設されてなる。
【００３２】
縦壁部９１は、縦溝部３１の形状に対応する形状に形成されており、縦溝部３１の底面に対向配置されている。この縦壁部９１の上端（第一連結部９の一端）は、第一ヒンジ部９６Ａを介して注出筒部７のフランジ部７０の後方側部分に連結されており、縦壁部９１の周方向の両側の側端は、内筒部６の係合筒部６０から分離されている。また、縦壁部９１には、上記した凸条部３５が嵌合される嵌合孔９８が形成されている。この嵌合孔９８は、キャップ軸Ｌ方向に延在する長孔であり、内筒部６の周方向に複数（図２では２本）平行に並設されている。また、縦壁部９１の下端部は、下方に向かうに従い内筒部６の径方向外側へ向けて傾斜されている。
【００３３】
横壁部９２は、横溝部３２の形状に対応する形状に形成されており、横溝部３２の底面に対向配置されている。この横壁部９２の径方向内側の端部は、縦壁部９１の下端に連結されており、横壁部９２の周方向の両側の側端は、外筒部５の天壁部５０から分離されている。また、横壁部９２の下面には、横溝部３２の底面に当接する当接部９２ａが突設されている。
傾斜壁部９３は、傾斜溝部３３の形状に対応する形状に形成されており、傾斜溝部３３の底面に対向配置されている。この傾斜壁部９３の上端は、側横壁部９２の径方向外側の端部に連結されており、傾斜壁部９３の下端は、第二ヒンジ部９６Ｂを介して外周壁部５２の後方側部分の上端に連結されている。傾斜壁部９３の周方向の両側の側端は、外筒部５のテーパー部５１から分離されている。
【００３４】
上記した第一、第二ヒンジ部９６Ａ，９６Ｂは、折り曲げ可能な薄板部であり、左右方向に延在されている。また、第一ヒンジ部９６Ａと上記した注出筒部７の指掛け部７０ａとは、注出筒部７の中心軸線（キャップ軸Ｌ）を挟んで対称に配設されている。
【００３５】
隔壁部８は、内筒部６の内周壁６１の内側を閉塞する壁部であり、キャップ軸Ｌに対して垂直に配設された略平板状の壁部である。隔壁部８は、内周壁６１の軸方向中間部分に配設されており、隔壁部８の外縁部は、内周壁６１の内周面に全周に亘って連結されている。また、隔壁部８には、容器２内に収容された内容物を注出するための注出口８０が形成されており、この注出口８０は封止板８１によって密閉されており、封止板８１の外縁と注出口８０の内縁とは薄肉部８２（弱化部）を介して全周に亘って連結されている。また、封止板８１の上面には、指等を掛けることが可能なプルリング８３が設けられている。このプルリング８３は、封止板８１の前方部分に連結されている。
【００３６】
上蓋４は、キャップ本体３の上に着脱自在に被せられる筒状の蓋体であり、その概略構成としては、キャップ軸Ｌに対して垂直に配設された円形板状の天壁部４０と、天壁部４０の外縁部から垂下された筒状の周壁部４１と、天壁部４０の下面に垂設された円筒状の栓部４２と、を備えている。
【００３７】
周壁部４１は、内筒部６の上部及び注出筒部７の径方向外側に周設されており、周壁部４１の内周面には、内筒部６の上部の外周面に形成された雄ネジ６４に螺着される雌ネジ部４６が形成されている。
栓部４２は、注出筒部７の上部内側に嵌め込まれており、栓部４２の先端部の外周面は、注出筒部７の内周面に全周に亘って密接されている。これにより、上蓋４を閉じた際のシール性が確保され、容器２内の内容物が注出筒部７から漏出することが防止される。
【００３８】
次に、上記した構成からなるキャップ１の作用について説明する。
【００３９】
容器２内に収容された内容物を注出するには、まず、キャップ本体３から上蓋４を取り外し、その後、注出口８０を開封する。詳しく説明すると、上蓋４と容器２とを相対的にキャップ軸Ｌ回りに回転させ、上蓋４の雌ネジ部４６と内筒部６の雄ネジ６４との螺着を外し、上蓋４とキャップ本体３とを分離させる。その後、プルリング８３の内側に指等を通してプルリング８３に指等を引っ掛ける。そして、プルリング８３を上方に引き上げつつプルリング８３を後方に引く。これにより、注出口８０と封止板８１との間の薄肉部８２が破断され、封止板８１が注出口８０の内側から取り外されて注出口８０が開封され、注出口８０から内容物を注出することが可能になる。
【００４０】
また、内容物を注出した後は、キャップ本体３に上蓋４を被着させて保管する。詳しく説明すると、上蓋４をキャップ本体３に被せ、上蓋４と容器２とを相対的にキャップ軸Ｌ回りに回転させ、上蓋４の雌ネジ部４６と内筒部６の雄ネジ６４とを螺着させる。これにより、容器２内の気密性が保持される。
【００４１】
上記した構成からなるキャップ付き容器の使用後には、容器口部２０からキャップ１を取り外し、キャップ１と容器２とを分別して回収する。
容器口部２０からキャップ１を取り外す際には、まず、上蓋４をキャップ本体３から取り外す。
【００４２】
次に、図４に示すように、注出筒部７を内筒部６の上部から引き抜く。詳しく説明すると、内筒部６の前方側の凹溝６２に指等を入れて、内筒部６の外周面（凹溝６２の底面）から突出したフランジ部７０の前方側部分に指等を引っ掛ける。そして、その指等でフランジ部７０の前方側部分を上方に引き上げる。これにより、内筒部６の係合部６６と注出筒部７の係合部７２とのアンダーカット嵌合が前方側から後方側に向かって順次外れていき、注出筒部７が第一ヒンジ部９６Ａを軸に回転しながら内筒部６から引き抜かれる。そして、第二ヒンジ部９６Ｂを軸に注出筒部７をさらに回転させることにより、嵌合孔９８が凸条部３５から外れる。
【００４３】
次に、図５に示すように、注出筒部７を引き上げて弱化部５５を後方側から前方側に向かって順次破断していく。詳しく説明すると、引き抜かれた注出筒部７に指等を通して引っ掛ける。そして、その指等で注出筒部７を引き上げることにより、第一ヒンジ部９６Ａを介して第一連結部９が引き上げられる。これにより、第二ヒンジ部９６Ｂを介して外周壁部５２の後方側部分が引き上げられ、外周壁部５２が後方側から前方側に向かって順次捲り上げられる。このとき、まず、連結片５５Ｂが破断され、その後、薄膜部５５Ａが後方側から前方側に向かって外筒部５の周方向に沿って順次破断されていき、外周壁部５２が嵌合筒部５１から切り離される。このとき、嵌合筒部５１の上端部と外周壁部５２の上端部との間に弱化部５５が介在されているので、弱化部５５に引き上げる力が伝播されやすい。
【００４４】
続いて、注出筒部７をさらに引き上げて外筒部５を容器口部２０から取り外す。詳しく説明すると、薄膜部５５Ａが第二連結部５４の側端のところまで破断された後、さらに注出筒部７を引き上げることにより、第二連結部５４を介して嵌合筒部５１の前方側部分の下端が引き上げられ、嵌合筒部５１の前方側部分が径方向外側に折り曲げられ、嵌合筒部５１の前方側部分における嵌合筒部５１の係合部５３と容器口部２０の係合部２１とのアンダーカット嵌合が外れる。このように外筒部５の一部分の嵌合が外れると、残りの部分も連なって容易に外れるので、そのまま注出筒部７を引き上げることにより、嵌合筒部５１の係合部５３と容器口部２０の係合部２１とのアンダーカット嵌合が前方側から後方側に向かって順次外れていき、嵌合筒部５１が容器口部２０から取り外され、キャップ本体３と容器２とが分離される。
【００４５】
上記した構成からなるキャップ１によれば、注出筒部７を内筒部６の上部から引き抜き、その後、注出筒部７を引き上げるだけなので、容器口部２０からキャップ１（キャップ本体３）を容易に取り外すことができる。
【００４６】
また、仮に、従来技術のように注出筒部に周方向に延在する薄肉部が形成されている場合、注出筒部が変形しやすくなり、栓部４２と注出筒部の内周面との間に隙間が生じる場合があり、その場合、その隙間から容器２内の内容物が漏出するおそれがある。これに対して、上記した構成からなるキャップ１によれば、注出筒部７に薄肉部等が形成されてなく、注出筒部７が内筒部６の上部内に嵌合されているため、注出筒部７が変形しにくい。これにより、上蓋４の栓部４２が注出筒部７の内周面に確実に密接され、上蓋４によって内筒部６が確実に密閉され、容器２内の内容物の漏出を確実に防止することができる。
【００４７】
また、嵌合筒部５１の上端部と外周壁部５２の上端部との間に弱化部５５が介在されており、注出筒部７を引き上げた際に、その引き上げる力が弱化部５５に伝播され易いため、弱化部５５を容易に破断させることができる。
【００４８】
また、キャップ本体３の後方側部分に凹溝３０が形成され、この凹溝３０の内側に第一連結部９が着脱可能に嵌め込まれているため、キャップ本体３の外周面の凹凸が少なくなり、キャップ本体３の外観が簡素化される。これにより、キャップ本体３を大型化が抑えられ、また、キャップ本体３の成形が容易となる。
【００４９】
また、注出筒部７の外周にフランジ部７０が設けられ、このフランジ部７０の前方側部分が、内筒部６の外周面（凹溝６２の底面）よりも径方向外側に突出されているので、フランジ部７０の前方側部分に指等が掛かりやすく、注出筒部７が引き上げ易い。これにより、キャップ１の取り外し作業を一層容易に行うことができる。
【００５０】
また、凹溝３０（上側縦溝部３１）に凸条部３５が突設され、第一連結部９（上側縦壁部９１）に嵌合孔９８が形成され、凸条部３５が嵌合孔９８に嵌合される構成になっており、第一連結部９がキャップ本体３に係合されているため、使用中等に注出筒部７が内筒部６から不用意に外れたり、第一連結部９が凹溝３０内から外れたりする不具合を防止することができる。
【００５１】
以上、本発明に係るキャップの実施の形態について説明したが、本発明は上記した実施の形態に限定されるものではなく、その趣旨を逸脱しない範囲で適宜変更可能である。
例えば、上記した実施の形態では、外筒部５の係合部５３及び容器口部２０の係合部２１がそれぞれ全周に亘って形成されているが、本発明は、外筒部５の係合部５３が周方向に間欠的（断続的）に設けられていてもよい。これにより、外筒部５と容器口部２０との嵌合強度を小さくすることができ、容器口部２０から外筒部５が取り外し易くなる。なお、外筒部５の係合部５３の膨出量（径方向の長さ）を小さくすることにより、外筒部５と容器口部２０との嵌合強度を小さくすることも可能である。
【００５２】
また、上記した実施の形態では、外筒部５（嵌合筒部５１）と容器口部２０との嵌合強度は全周に亘って略均一になっているが、本発明は、少なくとも前方側（第二連結部５４側）の部分における嵌合強度を後方側（第一連結部９側）の部分よりも弱くしてもよい。例えば、嵌合筒部５１の係合部５３の前方側部分の膨出量を、後方側の部分よりも小さくしたり、嵌合筒部５１の係合部５３の前方側部分を間欠的に設けて、後方側の部分を連続的に設けたりする。これにより、注出筒部７を引き上げた際、嵌合筒部５１の前方側部分が容器口部２０から容易に外れる。そして、一部分の嵌合が外れると、残りの部分も連なって容易に外れるので、後方側部分における嵌合筒部５１と容器口部２０との嵌合強度を高くしても嵌合筒部５１を容器口部２０から容易に外すことができる。つまり、キャップ１と容器２との分別の容易化を図りつつ、後方側部分における嵌合筒部５１と容器口部２０との嵌合強度を高くしてキャップ１が不用意に外れることを防止することができる。
【００５３】
また、上記した実施の形態では、薄膜部５５Ａ及び連結片５５Ｂからなる弱化部５５が嵌合筒部５１の上端部と外周壁部５２の上端部との間に介在されているが、本発明は、薄膜部５５Ａのみからなる弱化部であってもよく、或いは、複数の連結片５５Ｂを外筒部５の周方向に間欠的に配設した構成からなる弱化部であってもよい。さらに、弱化部の樹脂をその周囲の樹脂よりも脆弱な材質の樹脂で形成する方法もある。
また、本発明は、弱化部５５を嵌合筒部５１の上端部以外のところに連結させることも可能であり、また、弱化部５５を外周壁部５２の上端部以外のところに連結させることも可能である。例えば、嵌合筒部５１のキャップ軸Ｌ方向の中間部と外周壁部５２のキャップ軸Ｌ方向の中間部との間に弱化部５５を介在させることも可能であり、或いは、嵌合筒部５１の下端部と外周壁部５２の下端部との間に弱化部５５を介在させることも可能である。
【００５４】
また、上記した実施の形態では、凹溝３０（縦溝部３１）に断面視略Ｔ字形状の凸条部３５が突設され、第一連結部９（縦壁部９１）に長孔状の嵌合孔９８が形成され、凸条部３５が嵌合孔９８に嵌合される構成になっているが、本発明は、第一連結部９を貫通した嵌合孔９８に代えて非貫通の凹部からなる嵌合部を設けることも可能である。また、上記した凸条部３５に代えて他の形状の凸部を設けることも可能であり、例えば、円形や矩形の凸部を設けることも可能であり、この場合、凸部の形状に合わせた形状の嵌合部を形成する。また、上記した実施の形態では、キャップ本体３に凸条部３５が設けられ、第一連結部９に嵌合孔９８が形成されているが、本発明は、キャップ本体３に凸部を設けて、第一連結部９に凸部が嵌合される嵌合部を形成することも可能である。さらに、本発明は、上記した凸条部３５（凸部）や嵌合孔９８（嵌合部）を省略することも可能であり、例えば、第一連結部９の両側の側端部と凹溝３０の両側の側端部とがアンダーカット嵌合された構成にすることも可能であり、或いは、第一連結部９の上部（例えば縦壁部９１）の側端と内筒部６とがブリッジ等の弱化部で連結された構成にすることも可能である。
【００５５】
また、上記した実施の形態では、キャップ本体３の外周面に凹溝３０が形成されており、この凹溝３０の内側に第一連結部９が着脱可能に嵌め込まれているが、本発明は、凹溝３０が形成されていない構成にすることが可能であり、或いは、第一連結部９が外筒部５や内筒部６の外周面に重ねて配設された構成にすることも可能であり、さらには、第一連結部９が外筒部５や内筒部６の外周面から離間した構成にすることも可能である。
【００５６】
また、上記した実施の形態では、第一連結部９の一端（上端）は第一ヒンジ部９６Ａを介して注出筒部７に連結されており、また、第一連結部９の他端（下端）は第二ヒンジ部９６Ｂを介して外周壁部５２に連結されているが、本発明は、上記した第一ヒンジ部９６Ａ及び第二ヒンジ部９６Ｂのうちの少なくとも一方を省略することが可能である。
【００５７】
また、上記した実施の形態では、内筒部６の上部の外周面に凹溝６２が形成されており、また、注出筒部７の外周面にはフランジ部７０が全周に亘って形成されており、このフランジ部７０の前方側部分が内筒部６の外周面（凹溝６２の底面）よりも径方向外側に突出した構成になっているが、本発明は、内筒部６に凹溝６２が形成されてなく、フランジ部７０の一部又は全部が内筒部６の外周面よりも径方向外側に突出された構成であってもよい。また、本発明は、フランジ部７０が注出筒部７の周方向の一部分にのみ形成されていてもよく、或いは、フランジ部７０が周方向に間欠的に形成されていてもよい。さらに、本発明は、フランジ部７０が内筒部６の外周面から突出されていない構成にすることも可能であり、また、フランジ部７０が省略された構成にすることも可能である。
【００５８】
また、上記した実施の形態では、嵌合筒部５１の上端が外周壁部５２よりも上方に形成されており、外筒部５の上端面（弱化部５５）がテーパー状に傾斜されているが、本発明の外筒部の形状は適宜変更可能である。例えば、嵌合筒部５１の上端と外周壁部５２の上端とが同じ高さに形成されており、外筒部５の上端面（弱化部５５）がキャップ軸Ｌに対する垂直面に沿って形成されていてもよい。
【００５９】
また、上記した実施の形態では、内筒部６が二重筒構造になっているが、本発明は、内筒部６が三重以上の多重筒構造になっていてもよく、或いは、一重の筒構造であってもよい。また、上記した実施の形態では、内筒部６（係合筒部６０）が略直筒形状になっているが、本発明は、径の異なる筒部を軸線方向に連設した構成からなる多段状の内筒部であってもよい。例えば、内筒部の下側部分に大径筒部が形成されて上側部分に小径筒部が形成された二段構造にしてもよい。その他、本発明の内筒部の形状は適宜変更可能である。
【００６０】
また、上記した実施の形態では、注出筒部７がテーパー形状になっているが、注出筒部７が直筒形状になっていてもよく、或いは、多重筒構造であってもよく、多段状の筒構造になっていてもよい。
また、上記した実施の形態では、注出筒部７の上部が内筒部６の上端から突出されているが、本発明は、注出筒部の全体が内筒部６の内側に収容され、内筒部６の上端から注出筒部７が突出していない構成にすることもできる。この場合、注出筒部を内筒部６から引き抜く際には、注出筒部の内側に指等を入れて注出筒部の下端等に指等を引っ掛けることにより、注出筒部を内筒部６から引き抜くことができる。
【００６１】
また、上記した実施の形態では、平板状の隔壁部８が内筒部６の軸方向中間部分の内側に配設されているが、本発明は、隔壁部が、上方或いは下方に向けて半球状に膨出した形状に形成されていてもよく、その他の形状の隔壁部であってもよい。また、本発明は、内筒部６の下端部の内側に隔壁部が配設されていてもよく、或いは、注出筒部７の内側に隔壁部が形成されていてもよい。さらに、本発明は、隔壁部が省略された構成のキャップにすることも可能である。例えば、内筒部の上部の径が小さく、内筒部の上端が注出口になった構成にすることもできる。
さらに、隔壁部８を別部材で構成し、内筒部６の内側に嵌合させてもよい。
【００６２】
また、上記した実施の形態では、上蓋４がキャップ本体３に螺合された構成になっているが、本発明は、キャップ本体３にヒンジ部を介して上蓋が連結された構成にすることも可能であり、或いは、キャップ本体３の上に上蓋が被せられて嵌合された構成にすることも可能である。
【００６３】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６４】
【図１】本発明の実施の形態を説明するためのキャップの断面図である。
【図２】本発明の実施の形態を説明するためのキャップ本体の斜視図である。
【図３】本発明の実施の形態を説明するためのキャップ本体の側面図である。
【図４】本発明の実施の形態を説明するためのキャップ本体の断面図である。
【図５】本発明の実施の形態を説明するためのキャップ本体の断面図である。
【図６】本発明の実施の形態を説明するためのキャップ本体の断面図である。
【符号の説明】
【００６５】
１  キャップ
２  容器
３  キャップ本体
４  上蓋
５  外筒部
６  内筒部
７  注出筒部
９  第一連結部
２０  容器口部
３０  凹溝
５１  嵌合筒部
５２  外周壁部
５５  弱化部
７０  フランジ部
Ｌ  キャップ軸
【図１】
0005049823.tif 000002
【図２】
0005049823.tif 000003
【図３】
0005049823.tif 000004
【図４】
0005049823.tif 000005
【図５】
0005049823.tif 000006
【図６】
0005049823.tif 000007